【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
カラー画像を形成するために少なくとも２つの異なる色相の水性インクＡ、Ｂを重ねて画像を形成するインクジェット記録方法に用いるインクセットであって、該２つの水性インクＡ、Ｂのうち１つのインクＡがアニオン性基が導入された色材Ａを含み、他のインクＢが色材Ｂとともに少なくとも一つの水酸基が導入された炭素数６以下のアルキル基を有する第４級アンモニウム塩を含有することを特徴とするインクジェット記録用インクセット。
【請求項２】
前記インクＡがアニオン性基を有するカーボンからなる自己分散型顔料を含む黒インクであり、前記インクＢがイエローインク、シアンインク及びマゼンタインクの中から選ばれるカラーインクであり、前記第４級アンモニウム塩が下記一般式（Ｉ）で表される第４級アンモニウム塩であることを特徴とする請求項１に記載のインクジェット記録用インクセット。
【化１】
2003113337.tif 000001
（式中、Ｒ１、Ｒ２、Ｒ３及びＲ４は炭素数６以下のアルキル基、炭素数６以下のハロゲン化アルキル基又は炭素数６以下のヒドロキシアルキル基であり、Ｒ１〜Ｒ４の少なくとも１つはヒドロキシアルキル基であり、Ｘは対イオンを示す）
【請求項３】
前記第４級アンモニウム塩が、下記一般式（II）、（III）又は（IV）で表される第４級アンモニウム塩であることを特徴とする請求項１又は２に記載のインクジェット記録用インクセット。
【化２】
2003113337.tif 000002
（式中、Ｘ-は対イオンを示す）
【化３】
2003113337.tif 000003
（式中、Ｘ-は対イオンを示す）
【化４】
2003113337.tif 000004
（式中、Ｘ-は対イオンを示す）
【請求項４】
前記インクＡがイエローインク、マゼンタインク及びシアンインクの中から選ばれるカラーインクであり、前記インクＡに含まれる色材Ａがアニオン性基を表面に導入した自己分散型有機顔料からなることを特徴とする請求項１に記載のインクジェット記録用インクセット。
【請求項５】
前記第４級アンモニウム塩が、下記一般式（II）、（III）又は（IV）で表される第４級アンモニウム塩であることを特徴とする請求項４に記載のインクジェット記録用インクセット。
【化５】
2003113337.tif 000005
（式中、Ｘ-は対イオンを示す）
【化６】
2003113337.tif 000006
（式中、Ｘ-は対イオンを示す）
【化７】
2003113337.tif 000007
（式中、Ｘ-は対イオンを示す）
【請求項６】
前記インクＢに含まれる色材Ｂが水不溶性色材であり、前記インクＢ中には高分子系分散剤が含有されていることを特徴とする請求項１〜５のいずれかに記載のインクジェット記録用インクセット。
【請求項７】
前記インクＢに含まれる色材Ｂが水不溶性色材であり、前記インクＢ中には界面活性剤系分散剤が含有されていることを特徴とする請求項１〜５のいずれかに記載のインクジェット記録用インクセット。
【請求項８】
前記色材Ｂが、カルボン酸基及び／又はスルホン酸基を有する染料であることを特徴とする請求項１〜５のいずれかに記載のインクジェット記録用インクセット。
【請求項９】
前記色材Ｂが染料又は顔料で着色された微粒子からなることを特徴とする請求項１〜５のいずれかに記載のインクジェット記録用インクセット。
【請求項１０】
前記インクＡ及び／又はＢが、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン及び１，３−ジメチル−２−イミダゾリジノンの中から選ばれる少なくとも１種の水溶性有機溶剤を含有することを特徴とする請求項１〜９のいずれかに記載のインクジェット記録用インクセット。
【請求項１１】
前記インクＡ及び／又はＢが、アセチレングリコール系界面活性剤、ポリオキシエチレンアルキルエーテル系界面活性剤、ポリオキシエチレンアルキルフェニルエーテル系界面活性剤及びフッ素系界面活性剤の中から選ばれる少なくとも１種の界面活性剤を含有することを特徴とする請求項１〜１０のいずれかに記載のインクジェット記録用インクセット。
【請求項１２】
前記インクＡ及び／又はＢが、主鎖に６以上の炭素数を有するアセチレングリコール系界面活性剤と重合度が５〜１２のポリオキシエチレンを有するポリオキシエチレンフェニルエーテルを含有することを特徴とする請求項１〜１０のいずれかに記載のインクジェット記録用インクセット。
【請求項１３】
前記インクＡ及び／又はＢのｐＨが、６〜１１であることを特徴とする請求項１〜１２のいずれかに記載のインクジェット記録用インクセット。
【請求項１４】
カラー画像を形成するために少なくとも２つの異なる色相の水性インクＡ、Ｂを含むインクセットを用いて被記録材に少なくとも２つの該水性インクＡ、Ｂを重ねて画像を形成するインクジェット記録方法であって、該インクセットとして、請求項１〜１３のいずれかに記載のインクセットを用いることを特徴とするインクジェット記録方法。
【請求項１５】
前記被記録材が、３秒以上のステキヒトサイズ度を有することを特徴とする請求項１４に記載のインクジェット記録方法。
【請求項１６】
インクセットを収容するインク収容部を備えたインクカートリッジにおいて、該インクセットとして、請求項１〜１３のいずれかに記載のインクセットを用いることを特徴とするインクジェット記録用インクカートリッジ。
【請求項１７】
インクセットを収容するインク収容部又はインクカートリッジを備えたインクジェット記録装置において、該インクセットとして、請求項１〜１２のいずれかに記載のインクセットを用いることを特徴とするインクジェット記録装置。
【手続補正２】
【補正対象書類名】明細書
【補正対象項目名】０００５
【補正方法】変更
【補正の内容】
【０００５】
（１）カラー画像を形成するために少なくとも２つの異なる色相の水性インクＡ、Ｂを重ねて画像を形成するインクジェット記録方法に用いるインクセットであって、該２つの水性インクＡ、Ｂのうち１つのインクＡがアニオン性基が導入された色材Ａを含み、他のインクＢが色材Ｂとともに少なくとも一つの水酸基が導入された炭素数６以下のアルキル基を有する第４級アンモニウム塩を含有することを特徴とするインクジェット記録用インクセット。
（２）前記インクＡがアニオン性基を有するカーボンからなる自己分散型顔料を含む黒インクであり、前記インクＢがイエローインク、シアンインク及びマゼンタインクの中から選ばれるカラーインクであり、前記第４級アンモニウム塩が下記一般式（Ｉ）で表される第４級アンモニウム塩であることを特徴とする前記（１）に記載のインクジェット記録用インクセット。
【化８】
2003113337.tif 000008
（式中、Ｒ１、Ｒ２、Ｒ３及びＲ４は炭素数６以下のアルキル基、炭素数６以下のハロゲン化アルキル基又は炭素数６以下のヒドロキシアルキル基であり、Ｒ１〜Ｒ４の少なくとも１つはヒドロキシアルキル基であり、Ｘは対イオンを示す）
（３）前記第４級アンモニウム塩が、下記一般式（II）、（III）又は（IV）で表される第４級アンモニウム塩であることを特徴とする前記（１）又は（２）に記載のインクジェット記録用インクセット。
【化９】
2003113337.tif 000009
（式中、Ｘ-は対イオンを示す）
【化１０】
2003113337.tif 000010
（式中、Ｘ-は対イオンを示す）
【化１１】
2003113337.tif 000011
（式中、Ｘ-は対イオンを示す）
（４）前記インクＡがイエローインク、マゼンタインク及びシアンインクの中から選ばれるカラーインクであり、前記インクＡに含まれる色材Ａがアニオン性基を表面に導入した自己分散型有機顔料からなることを特徴とする前記（１）に記載のインクジェット記録用インクセット。
（５）前記第４級アンモニウム塩が、下記一般式（II）、（III）又は（IV）で表される第４級アンモニウム塩であることを特徴とする前記（４）に記載のインクジェット記録用インクセット。
【化１２】
2003113337.tif 000012
（式中、Ｘ-は対イオンを示す）
【化１３】
2003113337.tif 000013
（式中、Ｘ-は対イオンを示す）
【化１４】
2003113337.tif 000014
（式中、Ｘ-は対イオンを示す）
（６）前記インクＢに含まれる色材Ｂが水不溶性色材であり、前記インクＢ中には高分子系分散剤が含有されていることを特徴とする前記（１）〜（５）のいずれかに記載のインクジェット記録用インクセット。
（７）前記インクＢに含まれる色材Ｂが水不溶性色材であり、前記インクＢ中には界面活性剤系分散剤が含有されていることを特徴とする前記（１）〜（５）のいずれかに記載のインクジェット記録用インクセット。
（８）前記色材Ｂが、カルボン酸基及び／又はスルホン酸基を有する染料であることを特徴とする前記（１）〜（５）のいずれかに記載のインクジェット記録用インクセット。
（９）前記色材Ｂが染料又は顔料で着色された微粒子からなることを特徴とする前記（１）〜（５）のいずれかに記載のインクジェット記録用インクセット。
（１０）前記インクＡ及び／又はＢが、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン及び１，３−ジメチル−２−イミダゾリジノンの中から選ばれる少なくとも１種の水溶性有機溶剤を含有することを特徴とする前記（１）〜（９）のいずれかに記載のインクジェット記録用インクセット。
（１１）前記インクＡ及び／又はＢが、アセチレングリコール系界面活性剤、ポリオキシエチレンアルキルエーテル系界面活性剤、ポリオキシエチレンアルキルフェニルエーテル系界面活性剤及びフッ素系界面活性剤の中から選ばれる少なくとも１種の界面活性剤を含有することを特徴とする前記（１）〜（１０）のいずれかに記載のインクジェット記録用インクセット。
（１２）前記インクＡ及び／又はＢが、主鎖に６以上の炭素数を有するアセチレングリコール系界面活性剤と重合度が５〜１２のポリオキシエチレンを有するポリオキシエチレンフェニルエーテルを含有することを特徴とする前記（１）〜（１０）のいずれかに記載のインクジェット記録用インクセット。
（１３）前記インクＡ及び／又はＢのｐＨが、６〜１１であることを特徴とする前記（１）〜（１２）のいずれかに記載のインクジェット記録用インクセット。
（１４）カラー画像を形成するために少なくとも２つの異なる色相の水性インクＡ、Ｂを含むインクセットを用いて被記録材に少なくとも２つの該水性インクＡ、Ｂを重ねて画像を形成するインクジェット記録方法であって、該インクセットとして、前記（１）〜（１３）のいずれかに記載のインクセットを用いることを特徴とするインクジェット記録方法。
（１５）前記被記録材が、３秒以上のステキヒトサイズ度を有することを特徴とする前記（１４）に記載のインクジェット記録方法。
（１６）インクセットを収容するインク収容部を備えたインクカートリッジにおいて、該インクセットとして、前記（１）〜（１３）のいずれかに記載のインクセットを用いることを特徴とするインクジェット記録用インクカートリッジ。
（１７）インクセットを収容するインク収容部又はインクカートリッジを備えたインクジェット記録装置において、該インクセットとして、前記（１）〜（１２）のいずれかに記載のインクセットを用いることを特徴とするインクジェット記録装置。